(57)【要約】【課題】熱媒供給温度を高低させたいという使用者の要望に応えながら、暖房対象空間内の温度を目標温度に的確に暖房する。【解決手段】熱媒循環路１を開閉して熱媒の供給を断続する開閉手段４と、熱源手段３の運転および開閉手段４の開閉作動を制御する制御手段５とが設けられ、制御手段５は、暖房対象空間内の温度と目標設定温度との温度差に応じて、開時間と閉時間との目標開閉比率を求めて、単一周期における開閉比率が求めた目標開閉比率になるように調整する形態で、開閉手段４の開閉作動を周期的に繰り返し行う開閉制御処理を実行するように構成され、熱源手段３が、暖房端末２に供給する熱媒の熱媒供給温度を切換自在に構成され、制御手段５は、開閉制御処理において、温度差が同じであるときの目標開閉比率が、熱媒供給温度に応じて異なる値となるように、目標開閉比率を求めるように構成されている。【選択図】        図１
2004197998.tif 000002
【特許請求の範囲】
【請求項１】
加熱した熱媒を熱媒循環路を通して暖房端末に供給する熱源手段と、前記熱媒循環路を開閉して熱媒の供給を断続する開閉手段と、前記熱源手段の運転および前記開閉手段の開閉作動を制御する制御手段とが設けられ、
前記制御手段は、暖房対象空間内の温度と目標設定温度との温度差に応じて、前記開閉手段を開状態に維持する開時間と前記開閉手段を閉状態に維持する閉時間との目標開閉比率を求めて、単一周期における開閉比率が求めた目標開閉比率になるように調整する形態で、前記開閉手段の開閉作動を周期的に繰り返し行う開閉制御処理を実行するように構成されている熱媒供給式の暖房設備であって、前記熱源手段が、前記暖房端末に供給する熱媒の熱媒供給温度を切換自在に構成され、
前記制御手段は、前記開閉制御処理において、前記温度差が同じであるときの前記目標開閉比率が、前記熱媒供給温度に応じて異なる値となるように、前記目標開閉比率を求めるように構成されている熱媒供給式の暖房設備。
【請求項２】
前記制御手段は、前記開閉制御処理において、基準用の熱媒供給温度について、前記温度差に応じて定めた基準用開閉比率を、前記熱媒供給温度に応じて定めた補正用情報に基づいて調整して、前記目標開閉比率を求めるように構成されている請求項１に記載の熱媒供給式の暖房設備。
【請求項３】
前記制御手段は、前記開閉制御処理において、前記温度差が同じであるときの開閉比率が前記熱媒供給温度に応じて異なる値となるように定めた複数種の熱媒供給温度対応開閉比率のうちから、前記熱媒供給温度に対応する熱媒供給温度対応開閉比率を選択して、前記目標開閉比率を求めるように構成されている請求項１に記載の熱媒供給式の暖房設備。
【発明の詳細な説明】
【０００１】
【発明の属する技術分野】
本発明は、加熱した熱媒を熱媒循環路を通して暖房端末に供給する熱源手段と、前記熱媒循環路を開閉して熱媒の供給を断続する開閉手段と、前記熱源手段の運転および前記開閉手段の開閉作動を制御する制御手段とが設けられ、
前記制御手段は、暖房対象空間内の温度と目標設定温度との温度差に応じて、前記開閉手段を開状態に維持する開時間と前記開閉手段を閉状態に維持する閉時間との目標開閉比率を求めて、単一周期における開閉比率が求めた目標開閉比率になるように調整する形態で、前記開閉手段の開閉作動を周期的に繰り返し行う開閉制御処理を実行するように構成されている熱媒供給式の暖房設備に関する。
【０００２】
【従来の技術】
上記のような熱媒供給式の暖房設備は、制御手段が、暖房対象空間内の室温や床温と目標設定温度との温度差に応じて目標開閉比率を求めて、単一周期における開閉比率が求めた目標開閉比率になるように調整する形態で、開閉手段の開閉作動を周期的に繰り返し行う開閉制御処理を実行することにより、暖房対象空間内の室温や床温が目標設定温度になるように暖房対象空間を暖房するものである。
【０００３】
従来では、例えば、６０℃などの一定の熱媒供給温度の熱媒を熱源手段から暖房端末に供給し、例えば、単一周期を２０分間として、一定の熱媒供給温度に対応する状態で、開時間と閉時間との開閉比率が、暖房対象空間内の温度と目標設定温度との温度差が小さくなるように予め定められており、制御手段が、開閉制御処理において、一定の熱媒供給温度に対応して予め定められた開閉比率から、暖房対象空間内の温度と目標設定温度との温度差に応じて目標開閉比率を求めるように構成されていた（例えば、特許文献１参照。）。
【０００４】
【特許文献１】
特開２０００−１２１０７８号公報
【０００５】
【発明が解決しようとする課題】
上記従来の熱媒供給式の暖房設備では、６０℃などの一定の熱媒供給温度の熱媒を熱源手段から暖房端末に供給するようにしているが、暖房使用形態や暖房端末の敷設状態によって、熱源手段から暖房端末に供給する熱媒の熱媒供給温度を高低に切り換えることが求められている。
すなわち、熱源手段から暖房端末に供給する熱媒の熱媒供給温度を低くすることにより、例えば、恒常的に床暖房装置を使用する場合や部屋全面に床暖房装置を敷設する場合には、熱源手段での加熱量を減少させて、省エネルギー化を図ることができることから、熱媒供給温度を低くすることが求められる。
また、熱源手段から暖房端末に供給する熱媒の熱媒供給温度を高くすることにより、例えば、断続的に床暖房装置を使用する場合や部分的に床暖房装置を敷設する場合には、運転の開始から短時間で暖房対象空間を暖房することができることから、熱媒供給温度を高くすることが求められる。
【０００６】
そして、上述の要望に応えるために、熱源手段を、暖房端末に供給する熱媒の熱媒供給温度を切換自在に構成し、暖房使用形態や暖房端末の敷設状態に応じて熱媒供給温度の熱媒を熱源手段から暖房端末に供給することが考えられている。しかしながら、上記従来の熱媒供給式の暖房設備では、例えば、６０℃などの一定の熱媒供給温度に対応して予め定められた開閉比率から、暖房対象空間内の温度と目標設定温度との温度差に応じて目標開閉比率を求めるようにしているので、実際に供給される熱媒供給温度と目標開閉比率を求めるときの基準となる熱媒供給温度とが異なり、暖房対象空間内の温度を目標設定温度に暖房できない虞がある。
【０００７】
説明を加えると、熱媒供給温度を６０℃よりも低く切り換えたときには、熱媒供給温度が６０℃よりも低くなっているにもかかわらず、熱媒供給温度が６０℃であるときの目標開閉比率が求められることになるので、実際に供給される熱媒供給温度が目標開閉比率を求めるときの基準となる熱媒供給温度よりも低くなり、暖房対象空間内の温度が目標設定温度よりも低い状態に暖房されることになる。
逆に、熱媒供給温度を６０℃よりも高く切り換えたときには、熱媒供給温度が６０℃よりも高くなっているにもかかわらず、熱媒供給温度が６０℃であるときの目標開閉比率が求められることになるので、実際に供給される熱媒供給温度が目標開閉比率を求めるときの基準となる熱媒供給温度よりも高くなり、暖房対象空間内の温度が目標設定温度よりも高い状態に暖房されることになる。
【０００８】
本発明は、かかる点に着目してなされたものであり、その目的は、使用者の暖房使用形態や暖房端末の敷設状態に応じて熱媒供給温度を高低させたいという要望に応えながら、暖房対象空間内の温度を目標温度に的確に暖房することができる熱媒供給式の暖房設備を提供する点にある。
【０００９】
【課題を解決するための手段】
この目的を達成するために、請求項１に記載の発明によれば、加熱した熱媒を熱媒循環路を通して暖房端末に供給する熱源手段と、前記熱媒循環路を開閉して熱媒の供給を断続する開閉手段と、前記熱源手段の運転および前記開閉手段の開閉作動を制御する制御手段とが設けられ、
前記制御手段は、暖房対象空間内の温度と目標設定温度との温度差に応じて、前記開閉手段を開状態に維持する開時間と前記開閉手段を閉状態に維持する閉時間との目標開閉比率を求めて、単一周期における開閉比率が求めた目標開閉比率になるように調整する形態で、前記開閉手段の開閉作動を周期的に繰り返し行う開閉制御処理を実行するように構成されている熱媒供給式の暖房設備において、前記熱源手段が、前記暖房端末に供給する熱媒の熱媒供給温度を切換自在に構成され、前記制御手段は、前記開閉制御処理において、前記温度差が同じであるときの前記目標開閉比率が、前記熱媒供給温度に応じて異なる値となるように、前記目標開閉比率を求めるように構成されている。
【００１０】
すなわち、熱源手段が、暖房端末に供給する熱媒の熱媒供給温度を切換自在に構成されているので、その使用者の暖房使用形態や暖房端末の敷設状態に応じて熱媒供給温度を高低に切り換えることができることになる。
前記制御手段は、開閉制御処理において、暖房対象空間内の温度と目標設定温度との温度差が同じであるときの目標開閉比率が、高低に切り換えられる熱媒供給温度に応じて異なる値となるように、目標開閉比率を求めるので、制御手段は、開閉制御処理において、例えば、熱媒供給温度が低いほど、閉時間に対して開時間が長くなるように、高低に切り換えられる熱媒供給温度に対応する目標開閉比率を求めることができることになる。
【００１１】
そして、使用者の暖房使用形態や暖房端末の敷設状態に応じて熱媒供給温度を高低に切り換えることにより、制御手段は、上述のようにして、高低に切り換えられる熱媒供給温度に対応する目標開閉比率を求めることにより、実際に供給される熱媒供給温度と目標開閉比率を求めるときの基準となる熱媒供給温度とを対応させることができることになる。
したがって、制御手段は、高低に切り換えられる熱媒供給温度に対応する状態で開閉制御処理を実行することができることとなって、使用者の暖房使用形態や暖房端末の敷設状態に応じて熱媒供給温度を高低に切り換えても、暖房対象空間内の温度を目標温度に的確に暖房することができることになる。
【００１２】
以上のことから、使用者の暖房使用形態や暖房端末の敷設状態に応じて熱媒供給温度を高低に切り換えながら、その高低に切り換える熱媒供給温度に対応する状態で開閉制御処理を実行することができることによって、暖房対象空間内の温度を目標温度に的確に暖房することができる熱媒供給式の暖房設備を提供できるに至った。
【００１３】
請求項２に記載の発明によれば、前記制御手段は、前記開閉制御処理において、基準用の熱媒供給温度について、前記温度差に応じて定めた基準用開閉比率を、前記熱媒供給温度に応じて定めた補正用情報に基づいて調整して、前記目標開閉比率を求めるように構成されている。
【００１４】
すなわち、制御手段は、開閉制御処理において、定めた基準用開閉比率を、熱媒供給温度に応じて定めた補正用情報に基づいて調整して、目標開閉比率を求めるので、制御手段は、基準用開閉比率のみを取り扱うことにより、高低に切り換えられる熱媒供給温度についての目標開閉比率を求めることができることになる。
したがって、制御手段は、基準用開閉比率と補正用情報との情報を扱うだけで、目標開閉比率を求めることができるので、高低に切り換えられる熱媒供給温度についての目標開閉比率を求めるときに取り扱う情報量を小さくすることができることとなって、構成の簡素化を図ることができることになる。
【００１５】
請求項３に記載の発明によれば、前記制御手段は、前記開閉制御処理において、前記温度差が同じであるときの開閉比率が前記熱媒供給温度に応じて異なる値となるように定めた複数種の熱媒供給温度対応開閉比率のうちから、前記熱媒供給温度に対応する熱媒供給温度対応開閉比率を選択して、前記目標開閉比率を求めるように構成されている。
【００１６】
すなわち、制御手段は、開閉制御処理において、定めた複数種の熱媒供給温度対応開閉比率のうちから、熱媒供給温度に対応する熱媒供給温度対応開閉比率を選択して、目標開閉比率を求めるので、制御手段は、複数種の熱媒供給温度対応開閉比率のうちから、ひとつの熱媒供給温度対応開閉比率を選択するという容易な制御構成により、高低に切り換えられる熱媒供給温度についての目標開閉比率を求めることができることになる。
したがって、目標開閉比率を容易な制御構成によって求めることができることとなって、構成の簡素化を図ることができることになる。
【００１７】
【発明の実施の形態】
本発明にかかる熱媒供給式の暖房設備を図面に基づいて説明する。
〔第１実施形態〕
この熱媒供給式の暖房設備は、床暖房装置などの暖房端末２、その暖房端末２に加熱した熱媒を熱媒循環路１を通して供給する熱源手段としての熱源機３、熱媒循環路１を開閉する開閉手段としての熱動弁４、熱源機３の運転および熱動弁４の開閉作動を制御する制御手段としての制御部５、その制御部５と通信自在なリモコン６などを備えて構成されている。
そして、暖房端末２およびリモコン６は、リビングや和室などの暖房対象空間Ｋに対応して配設され、リモコン６には、暖房対象空間Ｋ内の室温を検出する室温センサ１７が内蔵されている。
【００１８】
前記熱源機３は、暖房端末２に供給する熱媒の熱媒供給温度を切換自在に構成され、熱媒循環路１の往き側流路１ａおよび戻り側流路１ｂの夫々に接続された熱源機内流路１８の途中に、熱源機内流路１８における熱媒を貯留するシスターン７、暖房端末２に熱媒を循環供給させるための循環ポンプ８、熱源機内流路１８を通流する熱媒をバーナ９の燃焼により加熱させる熱交換器１０などを設けて、バーナ９に燃焼用空気を供給するファン１１などを備えて構成されている。
そして、バーナ９に燃料ガスを供給する燃料供給路１２には、燃料ガスの供給を断続する燃料ガス開閉弁１３、燃料ガス供給量を調整する燃料ガス調整弁１４が設けられ、バーナ９に点火するイグナイタ１５およびバーナ９の着火を確認するフレームロッド１６なども設けられている。
【００１９】
前記熱源機内流路１８におけるシスターン７よりも熱媒循環方向の上流側には、その熱媒の温度を検出する戻りサーミスタ１９が設けられ、熱源機内流路１８における熱交換器１０よりも熱媒循環方向の下流側には、その熱媒の温度を検出する往きサーミスタ２０が設けられ、熱媒循環路１の往き側流路１ａには、熱動弁４が設けられている。
そして、熱源機３の運転中において、熱動弁４を開閉することにより、暖房端末２への熱媒の供給を断続するように構成されている。
【００２０】
前記制御部５とリモコン６とは、熱源機３の運転開始や運転停止などの指令情報や、リモコン６にて設定される目標設定温度および室温センサ１７による室温などの温度情報を通信自在に構成されている。
ちなみに、目標設定温度は、例えば、１６℃〜２８℃の間で２℃刻みに７段階に設定可能に構成されている。
そして、制御部５は、リモコン６から各種の制御情報を得るとともに、暖房端末２に供給する熱媒の熱媒供給温度を切り換える熱媒供給温度切換用ディップスイッチ２１から熱媒供給温度情報を得るように構成されている。
【００２１】
前記制御部５は、リモコン６から熱源機３の運転開始が指令されると、熱源機３の運転を開始させ、リモコン６から熱源機３の運転停止が指令されると、熱源機３の運転を停止させるように構成されている。
そして、制御部５は、熱源機３の運転を開始させてから設定時間（例えば、１時間）経過するまでは、熱源機３から暖房端末２に供給する熱媒の熱媒供給温度がホットダッシュ用熱媒供給温度になるように熱源機３の運転を制御するホットダッシュ運転を行い、そのホットダッシュ運転を行ったのち、熱源機３から暖房端末２に供給する熱媒の熱媒供給温度が熱媒供給温度切換用ディップスイッチ２１にて切り換えられた熱媒供給温度になるように、熱源機３の運転を制御する通常運転を行うように構成されている。
【００２２】
前記熱源機３の運転開始および運転停止における制御部５の制御動作について説明を加える。
前記制御部５は、リモコン６から熱源機３の運転開始を指令する制御情報を受信すると、ファン１１を作動させて、燃料ガス開閉弁１３および燃料ガス調整弁１４を開弁させてバーナ９の燃焼を開始するとともに、循環ポンプ８を作動させて、熱源機３の運転を開始するようにしている。
また、制御部５は、リモコン６から熱源機３の運転停止を指令する制御情報を受信すると、燃料ガス開閉弁１３および燃料ガス調整弁１４を閉弁させてバーナ９の燃焼を停止したのち、ファン１１の作動を停止させるとともに、循環ポンプ８の作動を停止させて、熱源機３の運転を停止するようにしている。
【００２３】
前記ホットダッシュ運転における制御部５の制御動作について説明を加える。前記制御部５は、戻りサーミスタ１９および往きサーミスタ２０の検出情報に基づいて、往きサーミスタ２０の検出温度がホットダッシュ用熱媒供給温度（例えば、８０℃）になるように、燃料ガス調整弁１４の開度およびファン１１の回転速度を調整するとともに、熱動弁４を開状態に維持するように構成されている。
【００２４】
前記通常運転における制御部５の制御動作について説明を加える。
前記熱源機３から暖房端末２に供給する熱媒の熱媒供給温度が、熱媒供給温度切換用ディップスイッチ２１により、例えば、５０℃〜７０℃の間で５℃刻みに６段階に切換自在に構成されている。
そして、制御部５は、戻りサーミスタ１９および往きサーミスタ２０の検出情報に基づいて、往きサーミスタ２０の検出温度が熱媒供給温度切換用ディップスイッチ２１にて切り換えられた熱媒供給温度になるように、燃料ガス調整弁１４の開度およびファン１１の回転速度を調整するとともに、暖房対象空間内の温度としての室温センサ１７による室温とリモコン６による目標設定温度との温度差に応じて、熱動弁４を開状態に維持する開時間と熱動弁４を閉状態に維持する閉時間との目標開閉比率を求めて、単一周期における開閉比率が求めた目標開閉比率になるように調整する形態で、熱動弁４の開閉作動を周期的に繰り返し行う開閉制御処理を実行するように構成されている。
【００２５】
前記開閉制御処理について説明を加えると、制御部５は、単一周期を２０分として、その単一周期が経過するごとに、次の単一周期において開時間が何分で閉時間が何分であるかの目標開閉比率を求める目標開閉比率演算処理を実行して、次の単一周期における開閉比率が求めた目標開閉比率になるように、熱動弁４の開閉作動を周期的に繰り返し行うようにしている。
例えば、目標開閉比率演算処理にて求めた目標開閉比率が、開時間が１４分で閉時間が６分であると、まず、熱動弁４を開状態に１４分間維持したのち、熱動弁４を閉状態に６分間維持する。
【００２６】
前記目標開閉比率演算処理について説明を加えると、制御部５は、基準用の熱媒供給温度について、室温センサ１７による室温とリモコン６による目標設定温度との温度差に応じて定めた基準用開閉比率を、熱媒供給温度に応じて定めた補正用情報に基づいて調整して、前記温度差が同じであるときの前記目標開閉比率が、前記熱媒供給温度に応じて異なる値となるように、目標開閉比率を求めるように構成されている。
【００２７】
説明を加えると、制御部５には、図２に示すように、基準用の熱媒供給温度Ｔ４である６０℃において、リモコン６による目標設定温度Ｔ１から室温センサ１７による室温Ｔ２を引いた温度差ΔＴの設定範囲ごとに開時間と閉時間との開閉比率が定められている基準テーブルが基準用開閉比率として記憶されている。
そして、制御部５は、熱媒供給温度切換用ディップスイッチ２１により切り換えられた熱媒供給温度Ｔ３に応じて、下記〔数１〕から補正用情報としての補正係数αを求め、温度差ΔＴと開閉比率との対応関係の一部で温度差ΔＴが同じであるときの開閉比率が熱媒供給温度に応じて異なる値となるように、温度差ΔＴと開閉比率との対応関係を補正係数αだけステップがずれるようにして、熱媒供給温度切換用ディップスイッチ２１により切り換えられた熱媒供給温度Ｔ３に対応する調整テーブルを作り、その作成された調整テーブルにおいて、温度差ΔＴに応じて目標開閉比率を求めるようにしている。
【００２８】
【数１】
α＝（Ｔ３−Ｔ４）／５
【００２９】
ただし、上記〔数１〕において、Ｔ３は、熱媒供給温度切換用ディップスイッチ２１により切り換えられた熱媒供給温度であり、Ｔ４は、基準用の熱媒供給温度の６０℃である。
【００３０】
熱媒供給温度切換用ディップスイッチ２１により切り換えられた熱媒供給温度の具体例を挙げて、目標開閉比率の求める構成について説明する。
例えば、熱媒供給温度切換用ディップスイッチ２１により切り換えられた熱媒供給温度が５０℃であるときには、上記〔数１〕により補正係数αが−２となるので、図２における基準テーブルにおける温度差ΔＴと開閉比率との対応関係を、温度差ΔＴに対して開閉比率が２ステップだけ下にずれるようにして、図２における基準テーブルを図３に示す調整テーブルに調整して、熱媒供給温度切換用ディップスイッチ２１により切り換えられた熱媒供給温度Ｔ３に対応するテーブルを作る。
そして、図３に示す調整テーブルにおいて、リモコン６による目標設定温度Ｔ１から室温センサ１７による室温Ｔ２を引いた温度差ΔＴに応じて、目標開閉比率を求め、例えば、温度差ΔＴが０．２〜０．０では、開時間が１４分で閉時間が６分の目標開閉比率と求める。
【００３１】
また、熱媒供給温度切換用ディップスイッチ２１により切り換えられた熱媒供給温度が７０℃であるときには、上記〔数１〕により補正係数αが２となるので、図２における基準テーブルにおける温度差ΔＴと開閉比率との対応関係を、温度差ΔＴに対して開閉比率が２ステップだけ上にずれるようにして、図２における基準テーブルを図４に示す調整テーブルに調整して、熱媒供給温度切換用ディップスイッチ２１により切り換えられた熱媒供給温度Ｔ３に対応するテーブルを作る。
そして、図４に示す調整テーブルにおいて、リモコン６による目標設定温度Ｔ１から室温センサ１７による室温Ｔ２を引いた温度差ΔＴに応じて、目標開閉比率を求め、例えば、温度差ΔＴが０．２〜０．０では、開時間が６分で閉時間が１４分の目標開閉比率と求める。
【００３２】
ちなみに、熱媒供給温度切換用ディップスイッチ２１により切り換えられた熱媒供給温度が６０℃のときには、上記〔数１〕により補正係数αが０となるので、図２における基準テーブルにおける温度差ΔＴと開閉比率との対応関係をそのまま利用して、図２に示すテーブルにおいて、リモコン６による目標設定温度Ｔ１から室温センサ１７による室温Ｔ２を引いた温度差ΔＴに応じて、目標開閉比率を求める。
【００３３】
このようにして、使用者の暖房使用形態や暖房端末の敷設状態に応じて熱媒供給温度を高低に切り換えながら、その切り換えられる熱媒供給温度に対応する状態で目標開閉比率を求めて、実際に供給される熱媒供給温度と目標開閉比率を求めるときの基準となる熱媒供給温度とを対応させて、暖房対象空間内の温度を目標温度に的確に暖房するようにしている。
【００３４】
また、制御部５は、上述の通常運転において、リモコン６による目標設定温度Ｔ１から室温センサ１７による室温Ｔ２を引いた温度差ΔＴが補正用設定範囲（例えば、−０．５〜０．５）外の状態が補正用設定時間（例えば、３時間）継続すると、温度差ΔＴが補正用設定範囲内になるように補正する状態で目標開閉比率を求めるように構成されている。
【００３５】
説明を加えると、制御部５は、温度差ΔＴが補正用設定範囲よりも小さい状態が補正用設定時間継続すると、閉時間に対して開時間が長くなるように補正し、逆に、温度差ΔＴが補正用設定範囲よりも大きい状態が補正用設定時間継続すると、開時間に対して閉時間が長くなるように補正するように構成されている。
具体的には、温度差ΔＴ＜−０．５の状態が３時間継続すると、上記〔数１〕により求める補正係数αをα−１と補正し、逆に、温度差ΔＴ＞０．５の状態が３時間継続すると、上述の目標開閉比率演算処理において上記〔数１〕により求める補正係数αをα＋１と補正して、補正係数αを補正するようにしている。
【００３６】
ちなみに、上述のような補正係数αの補正については、熱源機３の運転が停止されても、その補正内容を記憶するなどして、補正係数αを補正した状態を維持し、次回、熱源機３の運転が開始された当初から補正係数αを補正した状態で、目標開閉比率を求めるようにしてもよい。
【００３７】
前記ホットダッシュ運転および通常運転における制御部５の制御動作について、図５のフローチャートに基づいて説明を加える。
まず、リモコン６から熱源機３の運転開始が指令されると、熱源機３の運転を開始させ、熱源機３の運転を開始させてから設定時間（例えば、１時間）経過するまで、熱源機３から暖房端末２に供給する熱媒の熱媒供給温度がホットダッシュ用熱媒供給温度になるように熱源機３の運転を制御するホットダッシュ運転を行う（ステップ１，２）。
【００３８】
そして、熱源機３の運転を開始させてから設定時間（例えば、１時間）経過すると、通常運転を行い、まず、目標開閉比率演算処理を実行して、熱媒供給温度切換用ディップスイッチ２１により切り換えられた熱媒供給温度Ｔ３に対応する状態で、目標開閉比率を求める（ステップ３）。
【００３９】
前記目標開閉比率演算処理にて求めた目標開閉比率が、例えば、開時間が１４分で閉時間が６分であると、まず、熱動弁４を開状態に１４分間維持したのち、熱動弁４を閉状態に６分間維持して、単一周期における開閉比率が目標開閉比率演算処理にて求めた目標開閉比率になるように、熱動弁４の開閉作動を行う（ステップ４）。
【００４０】
そして、リモコン６による目標設定温度Ｔ１から室温センサ１７による室温Ｔ２を引いた温度差ΔＴが補正用設定範囲（例えば、−０．５〜０．５）外の状態が補正用設定時間（例えば、３時間）継続しているか否かを判別し、補正係数を補正する必要があるか否かを判別する（ステップ５）。
前記温度差ΔＴが補正用設定範囲外の状態が補正用設定時間継続して、補正係数を補正する必要がある場合には、温度差ΔＴ＜−０．５の状態が３時間継続しているときに、補正係数αをα−１と補正し、温度差ΔＴ＞０．５の状態が３時間継続しているときに、補正係数αをα＋１と補正して、補正係数αを補正する（ステップ６）。
【００４１】
上述のように、補正係数αを補正した場合に限らず、補正係数αを補正していない場合でも、再度、目標開閉比率演算処理を実行して、単一周期における開閉比率が目標開閉比率演算処理にて求めた目標開閉比率になるように、熱動弁４の開閉作動を行う動作を周期的に繰り返し行う。
【００４２】
そして、ホットダッシュ運転中や通常運転中に、リモコン６から熱源機３の運転停止が指令されると、強制的に熱源機３の運転を停止させて、その運転中のホットダッシュ運転や通常運転を終了させる。
【００４３】
〔第２実施形態〕
この第２実施形態は、上記第１実施形態における目標開閉比率演算処理についての別実施形態を示すものであり、以下、この第２実施形態での目標開閉比率演算処理についての構成について説明する。
ちなみに、その他の構成については、上記第１実施形態と同様であるので、動符号を記すなどにより、その詳細な説明は省略する。
【００４４】
すなわち、制御部５は、開閉制御処理において、室温センサ１７による室温とリモコン６による目標設定温度との温度差が同じであるときの開閉比率が熱媒供給温度に応じて異なる値となるように定められた複数種の熱媒供給温度対応開閉比率のうち、熱媒供給温度に対応する熱媒供給温度対応開閉比率を選択して、目標開閉比率を求めるように構成されている。
【００４５】
説明を加えると、熱媒供給温度が６段階に切換自在であるので、図２〜図４に示すように、６段階に切換自在な熱媒供給温度の夫々について、リモコン６による目標設定温度Ｔ１から室温センサ１７による室温Ｔ２を引いた温度差ΔＴの設定範囲ごとに開時間と閉時間との開閉比率が定められている複数種のテーブルが設けられ、それらの複数種のテーブルが制御部５に記憶されている。
ちなみに、図２に示すテーブルは、熱媒供給温度が６０℃に対応するものであり、図３に示すテーブルは、熱媒供給温度が５０℃に対応するものであり、図４に示すテーブルは、熱媒供給温度が７０℃に対応するものである。
【００４６】
そして、制御部５は、記憶されている複数種のテーブルのうちから、熱媒供給温度切換用ディップスイッチ２１により切り換えられた熱媒供給温度に対応するテーブルを選択し、その選択されたテーブルにおいて、温度差ΔＴに応じて目標開閉比率を求めるようにしている。
例えば、熱媒供給温度切換用ディップスイッチ２１により切り換えられた熱媒供給温度が６０℃であると、図２のテーブルを選択し、温度差ΔＴが０．２〜０．０であると、開時間が１０分で閉時間が１０分と目標開閉比率を求める。
【００４７】
〔別実施形態〕
（１）上記第１および第２実施形態では、温度差ΔＴの設定範囲ごとに開閉比率が定められているテーブルを用いて、目標開閉比率を求めるようにしているが、例えば、温度差ΔＴごとに開閉比率が定められている線形の比例関係や非線形の相関関係などを用いて、目標開閉比率を求めることも可能であり、温度差ΔＴに応じて目標開閉比率を求めるものであればよい。
【００４８】
（２）上記第１および第２実施形態では、ホットダッシュ運転を行う熱源機３を例示したが、ホットダッシュ運転を行わない熱源機３にて実施することも可能である。
また、熱源機３は、バーナ９の燃焼により加熱した熱媒を暖房端末２に供給するものに限らず、例えば、電気ヒータにより加熱した熱媒を暖房端末に供給するものなど、その他各種の熱源機が適応可能である。
【００４９】
（３）上記第１および第２実施形態では、暖房端末２をひとつ備え、熱動弁４もひとつ設けるものを例示したが、暖房端末２を複数備えて、それら複数の暖房端末２の夫々に対応して熱動弁４を設けるものでもよく、暖房端末２の数については適宜変更が可能である。
ちなみに、暖房端末２を複数備えるものでは、暖房対象空間内の温度と目標設定温度との温度差が同じであるときの目標開閉比率が、熱媒供給温度に応じて異なる値となるように、目標開閉比率を求める対象の熱動弁を、すべての熱動弁としたり、あるいは、一部の熱動弁として実施することが可能である。
【００５０】
（４）上記第１および第２実施形態では、本発明にかかる熱媒供給式の暖房設備を、熱源機３からひとつの暖房端末２に対して熱媒を供給する熱源機３を備えた熱媒供給式の暖房設備に適応した例を示したが、例えば、低温用の暖房端末に低温熱媒を供給するとともに、高温用の暖房端末に高温熱媒を供給する２温度式の熱源機を備えた熱媒供給式の暖房設備など、その他各種の熱媒供給式の暖房設備に適応することが可能である。
【図面の簡単な説明】
【図１】熱媒供給システムの全体概略図
【図２】温度差の設定範囲ごとの開閉比率を定めた基準テーブル
【図３】基準テーブルを熱媒供給温度に応じて調整した調整テーブル
【図４】基準テーブルを熱媒供給温度に応じて調整した調整テーブル
【図５】制御部の制御動作を示すフローチャート
【符号の説明】
１              熱媒循環路
２              暖房端末
３              熱源手段
４              開閉手段
５              制御手段
【図１】
2004197998.tif 000003
【図２】
2004197998.tif 000004
【図３】
2004197998.tif 000005
【図４】
2004197998.tif 000006
【図５】
2004197998.tif 000007